(57)【特許請求の範囲】
【請求項１】
金型を用いて所定形状に成形する一対の手掛けの一方をスライド式扉の片面に、他方を他面の対向位置に配置し、双方を前記扉を間に挟んで扉厚方向に移動可能に連結して前記扉に取り付ける両面引手において、
双方の前記手掛けは、
それらを連結する共通の弾性体を保持するホルダ部を設け、該ホルダ部に、互いに向い合う方向に漸次間隔が狭まるテーパになった対称な押え壁をそれぞれ突設した同一形状に成型する一方、
前記弾性体は、
前記手掛けの取付時に一方の前記手掛けの押え壁間にばね付勢力に抗して嵌め込む無端状の取付部と、他方の前記手掛けの押え壁にそれぞればね付勢力に抗して係止する先端側の有端状に伸びる一対の係止部と、双方の前記手掛けの押え壁先端に押し込まれる該係止部と前記取付部間で括れた胴部とで形成し、前記手掛けを前記扉に取り付けるとき、他方の前記手掛けの前記押え壁間に係止した一対の前記係止部が相互に押し開いて離れる方向に戻ろうとする弾性復帰力により前記手掛け双方を引き寄せて前記扉に固定してなることを特徴とする、引手。
【請求項２】
前記弾性体は、前記係止部の先端を互いに向き合う方向に円弧に曲げて、全体に瓢箪形状の板バネからなることを特徴とする、請求項１に記載の引手。
【請求項３】
前記押え壁は、逆ハ字状に突設し、先端に前記弾性体の浮き上がりを抑える浮き止め凸部を設けてなることを特徴とする、請求項１又は２に記載の引手。
【発明の詳細な説明】
【技術分野】
【０００１】
本発明は、引戸、折戸、襖、障子等のスライド式扉に開閉操作の手掛りのためにねじなどを用いずにワンタッチで取り付ける引手に関する。
【背景技術】
【０００２】
従来、この種の引手の中には、通常、引戸が経時に材質上１ｍｍほど収縮すると「ガタツキ」を生ずるし、規定厚さサイズも２３ｍｍ〜２７ｍｍといった１ｍｍ単位でも厚さが異なると、そのたびに対応する手掛けを用意して取り付ける必要があったので、その問題を解決するために、扉の両面に取り付ける双方の手掛けを、扉を間に挟んで扉厚方向に移動可能に連結して手掛けの取付位置を扉厚に応じて自動的に調整できるようにしたものがある（特許文献１参照）。
【０００３】
従来の引手は、図１０に示すように、一方の手掛け１を引戸ｄの取付穴ａに挿入し、他方の手掛け２に有するガイド孔３の左右のガイド面３ａに、ねじりコイルばね４の一対の弾性片４ａ先端の当接部４ｂが当接するように位置合わせしてから、他方の手掛け２を取付穴ａに押し込むと、一対の弾性片４ａがガイド面３ａに案内されて相互に近接する方向に弾性変形しながらガイド孔３に対して挿通し、この一対の弾性片４ａが相互に離反する方向に戻ろうとする弾性復元力により、双方の手掛け１・２が相互に引き寄せられて引戸ｄに取り付けられる構造になっている。従って、従来の引手は、双方の手掛け１・２が個々に扉厚方向に移動可能に連結され、且つ、ねじりコイルばね４の付勢力によって相互に引き寄せられる方向に付勢されているので、引戸が収縮したりした場合、ねじりコイルばね４の付勢力によって両手掛け１・２の扉厚方向の間隔が自動的に狭まり、ガタ付くことがないようにしている。
【先行技術文献】
【特許文献】
【０００４】
【特許文献１】特開２００５−１８８２５５号公報
【発明の概要】
【発明が解決しようとする課題】
【０００５】
ところが、従来の引手は、一方の手掛け１に、ねじりコイルばね４のコイル部４ｃを収容する収容部１ａを形成する一方、他方の手掛け２には、ねじりコイルばね４の一対の弾性片４ａを案内するガイド孔３を形成するなど、肝心の連結部分において、双方の手掛け１・２の形状が異なる構造であるため、手掛け１・２を所定形状に成型するには、個別の形状に対応させた金型を鋳造する必要があり、それだけコストが著しく高くなるという課題があった。
【０００６】
そこで、本発明の目的は、スライド式扉の厚さに違いがあっても、その違いを自動的に吸収して手掛けを扉にワンタッチで取り付けられる安価な引手を提供することにある。
【０００７】
そのため、請求項１に記載の発明は、たとえば以下に示す図示実施の形態のとおり、金型を用いて所定形状に成形する一対の手掛け１０Ａ・１０Ｂの一方をスライド式扉の片面に、他方を他面の対向位置に配置し、双方を前記扉を間に挟んで扉厚方向に移動可能に連結して前記扉に取り付ける両面引手において、双方の前記手掛けは、それらを連結する共通の弾性体２０を保持するホルダ部１５を設け、該ホルダ部に、互いに向い合う方向に漸次間隔が狭まるテーパになった対称な押え壁２５をそれぞれ突設した同一形状に成型する一方、前記弾性体は、前記手掛け１０の取付時に一方の前記手掛け１０Ａの押え壁間にばね付勢力に抗して嵌め込む無端状の取付部２０ａと、他方の前記手掛け１０Ｂの押え壁にそれぞればね付勢力に抗して係止する先端側の有端状に伸びる一対の係止部２０ｂと、双方の前記手掛けの押え壁先端に押し込まれる該係止部と前記取付部間で括れた胴部２０ｃとで形成し、前記手掛けを前記扉に取り付けるとき、他方の前記手掛けの前記押え壁間に係止した一対の前記係止部が相互に押し開いて離れる方向に戻ろうとする弾性復帰力により前記手掛け双方を引き寄せて前記扉に固定してなることを特徴とする。
【０００８】
請求項２に記載の発明は、請求項１に記載の引手において、たとえば以下に示す図示実施の形態のとおり、前記弾性体２０は、前記係止部２０ｂの先端を互いに向き合う方向に円弧に曲げて、全体に瓢箪形状の板バネからなることを特徴とする。
【０００９】
請求項３に記載の発明は、請求項１又は２に記載の引手において、たとえば以下に示す図示実施の形態のとおり、前記押え壁２５は、逆ハ字状に突設し、先端に前記弾性体２０の浮き上がりを抑える浮き止め凸部３０ａ・３５ａを設けてなることを特徴とする。
【発明の効果】
【００１０】
請求項１に記載の発明によれば、手掛けを扉に取り付けるとき、他方の手掛けの押え壁間に係止した一対の係止部が相互に押し開いて離れる方向に戻ろうとする弾性復帰力により手掛け双方を引き寄せて、扉の厚さ方向に移動可能に連結することにより扉に固定するため、手掛けの対向間隔が自動的に調整され、扉が伸縮したり厚さが違ったりしても、双方の手掛けが相互に引き寄せられる方向に弾性体の引き寄せ付勢力により移動して自動的に扉の伸縮量や厚さの違いを吸収し、双方の手掛けはガタ付くことがなくワンタッチで取り付けることができる。また、請求項１に記載の発明によれば、双方の手掛けの形状を同一にし、１種類の手掛けを共通の弾性体を用いて引戸などスライド式扉の両面に、上述のようにワンタッチでガタなく取り付けられる以上、同一形状の手掛けを成型するには対応する金型が１種類で済み、それだけ金型の製造の手間が少なくなると共にコストを飛躍的に下げることができる。
【００１１】
請求項２に記載の発明によれば、弾性体を、その係止部の先端を互いに向き合う方向に円弧に曲げて、全体に瓢箪形状の板バネにより形成することにより、手掛けを扉に取り付けるとき、他方の手掛けの押え壁間に係止した一対の係止部が相互に押し開いて離れる方向に戻ろうとする弾性復帰力を効果的に発生し、その弾性復帰力の働きにより扉に固定するため、手掛けの対向間隔が自動的に調整され、扉が伸縮したり厚さが違ったりしても、双方の手掛けが相互に引き寄せられる方向に弾性体の引き寄せ付勢力により移動して自動的に扉の伸縮量や厚さの違いを吸収し、双方の手掛けはガタ付くことがなくワンタッチで取り付けることができる。
【００１２】
請求項３に記載の発明によれば、一方の手掛けのホルダ部に予め弾性体を装着するとき、弾性体は、取付部を、いったん萎ませた状態にしてから、押え壁の板片部間に、押し拡がる方向に働くばね付勢力に抗して押し込み、先端側の係止部が前方に突き出た状態でホルダ部にて保持するとき、ホルダ部は、押え壁の浮き止め凸部で胴部を押えて弾性体が浮き上がって外れないように保持することができる。
【図面の簡単な説明】
【００１３】
【図１】本発明の一例である引手の取付構造を示す図２中線Ｘ−Ｘに沿って得た断面図、図２は引手を取り付けた引戸の一部を示す正面図、図３は引手の分解斜視図、図４は引手の組立斜視図である引戸ガイド装置を示す斜視図である。
【図２】引手の一方の手掛りを取り付けた引戸の一部を示す正面図である。
【図３】引手を示す分解斜視図である。
【図４】引手を示す組立斜視図である。
【図５】弾性体を示す平面図である。
【図６】（Ａ）一方の手掛けを示す平面図、（Ｂ）側面図、（Ｃ）正面図である。
【図７】（Ａ）他方の手掛けを示す平面図、（Ｂ）側面図、（Ｃ）正面図である。
【図８】（Ａ）双方の手掛けを対向させて配置した引手の正面図、（Ｂ−１）手掛けの連結前の状態を示す図８（Ａ）中線Ｗ−Ｗに沿って得た断面図、（Ｂ−２）手掛けの連結中の状態を示す図８（Ａ）中線Ｗ−Ｗに沿って得た断面図、（Ｂ−３）手掛けの連結後の状態を示す図８（Ａ）中線Ｗ−Ｗに沿って得た断面図である。
【図９】手掛け取付状態の引手を示す縦断面図である。
【図１０】従来の引手の取付構造を示す断面図である。
【発明を実施するための形態】
【００１４】
以下、図面を参照しつつ、本発明の実施形態について説明する。
【００１５】
図１は、本発明の引手の取付構造を示す図２中線Ｘ−Ｘに沿って得た断面図、図２は引手を取り付けた引戸の一部を示す正面図、図３は引手の分解斜視図、図４は引手の組立斜視図である。図中符号Ｄは、スライド式扉の引戸を示す。引戸Ｄの戸先側端部には、手掛け１０の手掛け凹部１１の外形状に合わせて扉厚方向に貫通する縦長な取付穴ｅが穿設されている。
【００１６】
図示例の引手は、引戸Ｄを間に挟んで一方を片面に、他方を他面の対向位置に取り付ける一対の手掛け１０と、それら手掛け１０を連結する弾性体２０とで構成されている。
【００１７】
図示例の手掛け１０は、引戸Ｄに対して片面に取り付ける手掛け１０Ａと、他面の対向位置に取り付ける手掛け１０Ｂとを一組にして備え、いずれも金属製で、例えばアルミダイキャストを素材とし、同じ金型を用いて同一の所定形状に一体成形したものからなる。
【００１８】
即ち、手掛け１０（１０Ａ・１０Ｂ）は、大人と子供の手掛け高さ位置の違いに対応して比較的長尺で片面側を開口した矩形箱状の手掛け凹部１１と、手掛け凹部１１の四方周壁を形成する長尺な対向側壁１１ａと短尺な対向端壁１１ｂの各壁縁から外向きに延びるフランジ１２と、手掛け凹部１１の上下の端壁１１ｂとそれらの壁縁から延びるフランジ１２の上下の鍔部１２ａに沿って形成する上下に一対のホルダ部１５とからなる所定形状に成型する。
【００１９】
ホルダ部１５は、手掛け凹部１１の端壁１１ｂと、フランジ１２の鍔部１２ａと、その鍔部１２ａから手掛け凹部１１の端壁１１ｂに沿って底壁１１ｃ側に延びるように突出した押え壁２５とで形成されている。押え壁２５は、フランジ１２の鍔部１２ａから手掛け凹部１１の端壁１１ｂに沿って底壁１１ｃ側に向けて延びる一対の板片部３０・３５を有し、板片部３０・３５を互いの間隔が突出方向に向かうに従い次第に狭まるテーパになった逆ハ字状に成形する。この押え壁２５には、板片部３０・３５の先端上部に互いに向き合う内側に弾性体２０の浮き上がりを抑える浮き止め凸部３０ａ・３５ａを突設している。また、ホルダ部１５は、フランジ１２の鍔部１２ａに近接した手掛け凹部１１の端壁１１ｂにばね掛け突起１５ａを端壁１１ｂから鍔部１２ａの高さ方向に沿って凸設している。なお、手掛け１０は、樹脂材を素材とし、上述したと同様に金型を用いて同一の所定形状に一体成形してもよい。
【００２０】
一方、図示例の弾性体２０は、細長い板バネを曲げ成形し、図５に示すように、自然状態において、楕円形状に屈曲した取付部２０ａと、取付部２０ａから延伸する先端が互いに向き合う方向に円弧状に屈曲した一対の有端状係止部２０ｂと、係止部２０ｂと取付部２０ａとの間で中央部が細く括れた鼓状に湾曲した胴部２０ｃとで全体に瓢箪形に形成してなる。弾性体２０としては、板バネに限らず、樹脂バネやその他のバネ材等、各種の弾性材を使って構成することもできる。
【００２１】
そこで、上述した構成の引手を引戸Ｄに取り付ける場合は、上述のように同一の所定形状に成型された手掛け１０を用い、その中の１つを、例えば図６に示すように一方の手掛け１０Ａとし、他の１つを、図７に示すように他方の手掛け１０Ｂとし、まず、一方の手掛け１０Ａのホルダ部１５に、図６および図８に示すように予め弾性体２０を装着する。そのとき、弾性体２０は、取付部２０ａを、いったん萎ませた状態にしてから、ばね掛け突起１５ａに掛けてフランジ１２の鍔部１２ａとの間に挟み込みながら、押え壁２５の板片部３０・３５間に、押し拡がる方向に働くばね付勢力に抗して押し込み、先端側の係止部２０ｂが前方に突き出た状態でホルダ部１５にて保持する。そのとき、ホルダ部１５は、図８（Ｂ−１）に示すように、押え壁２５の浮き止め凸部３０ａ・３５ａで胴部２０ｃを押えて弾性体２０が浮き上がって外れないように保持する。
【００２２】
次いで、一方の手掛け１０Ａを、図８（Ｂ−１）および図９に示すように、弾性体２０の係止部２０ｂが前に突き出た状態で、例えば引戸Ｄの内側から取付穴ｅに嵌入し、フランジ１２を取付穴ｅの穴縁に当接させて、引戸Ｄの片面に配置する一方、外側からは、図８（Ｂ−２）に示すように、他方の手掛け１０Ｂを、ホルダ部１５が一方の手掛け１０Ａ側から突き出た弾性体２０と対向するように位置合わせしてから、取付穴ｅに押し込む。すると、弾性体２０は、図８（Ｂ−３）に示すように、一対の係止部２０ａが向い側の板片部３０・３５間に、押し拡がる方向に働くばね付勢力に抗して入り込み押え壁２５に係止する。そのとき、弾性体２０は、板片部３０・３５の対向間隔が突出方向に向かうに従い次第に狭まる逆ハ字状にテーパの押え壁２５間に、一対の係止部２０ｂを押し拡がる方向に働くばね付勢力に抗して押し込むから、押え壁２５の傾きに従って一対の係止部２０ｂが互いに近接する方向に弾性変形しながら入り込み押え壁２５に係止する。すると、弾性体２０は、向い合う一対の係止部２０ｂが相互に押し開いて離れる方向に戻ろうとする弾性復帰力を発生し、その弾性復帰力により手掛け１０Ａ・１０Ｂを相互に引き寄せて、図１および図９に示すように、取付穴ｅを通して引戸Ｄの厚さ方向に移動可能に連結し、以って、引戸Ｄに固定する。
【００２３】
従って、図示例の引手は、そのように手掛け１０Ａ・１０Ｂを弾性体２０の弾性復帰力により互いに引き寄せられる方向に付勢して移動可能に連結して引戸Ｄに固定するため、引戸が、経時、例えば収縮した場合でも、手掛け１０Ａ・１０Ｂは引き寄せる弾性体２０の付勢力により収縮量に追従して扉厚方向に移動することにより対向間隔が自動的に狭まり、手掛け１０Ａ・１０Ｂはガタ付くことがない。反対に、引戸Ｄが膨張した場合は、手掛け１０Ａ・１０Ｂは引き寄せる弾性体２０の付勢力に抗して膨張量に追従して扉厚方向に移動することにより対向間隔が自動的に拡がり、手掛け１０Ａ・１０Ｂはガタ付くことがない。
【００２４】
更に、図示例の引手では、例えば２３ｍｍ〜２７ｍｍの規定範囲の中で、厚さ寸法が異なる引戸に対しても、弾性体２０の付勢力により手掛け１０Ａ・１０Ｂが厚さの違いに追従して扉厚方向に移動し、厚さの違いを自動的に吸収するため、取り替える必要がなく、そのまま同じ手掛けを取り付けて使用することができる。なお、２３ｍｍ〜２７ｍｍの規定範囲を超えて厚さが大きく異なる（例えば３６ｍｍ〜４４ｍｍ）引戸に対しては、例えば板バネは安価であるため、長さの違いに対応する弾性体２０に取り替えて廉価に対応することができる。
【００２５】
一方、そのように弾性体２０を取り替えるためなど、図示引手を引戸Ｄから取り外す場合は、一方の手掛け１０Ａに対し他方の手掛け１０Ｂを弾性体２０の付勢力に抗して引き離す方向に強制的に引っ張ることにより、引戸Ｄや手掛け１０Ａ・１０Ｂを壊すことなく簡単に取り外すことができる。
【００２６】
以上のように、本発明の図示引手では、引戸Ｄの両面に取り付ける手掛け１０（１０Ａ・１０Ｂ）の双方ともに、それらを連結する共通の弾性体２０を保持するホルダ部１５に、対向間隔が突出方向先端に向かうに従い次第に狭まるように逆ハ字状のテーパをなす押え壁２５を突設するなど、弾性体２０による肝心の連結部分を含めて、双方の手掛け１０Ａ・１０Ｂの形状を同一にするが、そうであっても、手掛け１０Ａ・１０Ｂの取付時、一方の手掛け１０Ａの押え壁２５間に弾性体２０の取付部２０ａを、押し拡がる方向に働くばね付勢力に抗し押し込んで嵌着し、他方の手掛け１０Ｂの同じ押え壁２５に弾性体２０の一対の有端状係止部２０ｂを、押し拡がる方向に働くばね付勢力に抗して押し込んで係止すれば、弾性体２０の係止部２０ｂが相互に押し開いて離れる方向に戻ろうとする弾性復帰力により手掛け１０Ａ・１０Ｂの双方を相互に引き寄せて、引戸Ｄの厚さ方向に移動可能に連結することにより引戸Ｄに固定するため、引戸が伸縮したり厚さが違ったりしても、双方の手掛け１０Ａ・１０Ｂが相互に引き寄せられる方向に弾性体２０の付勢力により移動して自動的に引戸の伸縮量や厚さの違いを吸収し、双方の手掛け１０Ａ・１０Ｂはガタ付くことがなくワンタッチで取り付けられる。
【００２７】
とすれば、本発明の引手によれば、双方の手掛け１０Ａ・１０Ｂの形状を同一にし、１種類の手掛け１０を共通の弾性体２０を用いて引戸などスライド式扉の両面に、上述のようにワンタッチでガタなく取り付けられる以上、同一形状の手掛け１０を成型するには対応する金型が１種類で済み、それだけ金型の製造の手間が少なくなると共にコストを飛躍的に下げることができる。
【００２８】
なお、本発明による引手は、上述した引戸に限らず、折戸・障子・襖等の各種のスライド式扉に取り付けて使用するが、その扉の両面に手掛けを取り付けるだけでなく、戸棚の引戸用の引手のように扉の片面にだけ手掛けを取り付けて使用することもできる。その場合、上述のように所定の同一形状に成型した手掛け１０を１つ使用する一方、引戸Ｄに設ける取付穴ｅを貫通穴に代えて凹みとし、凹みの底部に取付座を固着し、取付座に弾性体２０を先端側の係止部２０ｂが前方に突き出た状態で装着する。一方、手掛け１０は、外側からホルダ部１５が取付座側から突き出た弾性体２０と対向するように位置合わせしてから凹みに押し込み、係止部２０ａをばね付勢力に抗して押え壁１３に対し係止する。すると、手掛け１０は、向い合った弾性体２０の係止部２０ｂが相互に離れる方向に戻ろうとする弾性復帰力により取付座側に引き寄せられて扉厚方向に移動可能に取付座に連結し、以って、引戸の片面に固定される。
【符号の説明】
【００２９】
Ｄ                引戸
ｅ                取付穴
１０              手掛け
１０Ａ            一方の手掛け
１０Ｂ            他方の手掛け
１１              手掛け凹部
１２              フランジ
１５              ホルダ部
２０              弾性体
２０ａ            取付部
２０ｂ            係止部
２０ｃ            胴部
２５              押え壁
【図１】
0005552471.tif 000002
【図２】
0005552471.tif 000003
【図３】
0005552471.tif 000004
【図４】
0005552471.tif 000005
【図５】
0005552471.tif 000006
【図６】
0005552471.tif 000007
【図７】
0005552471.tif 000008
【図８】
0005552471.tif 000009
【図９】
0005552471.tif 000010
【図１０】
0005552471.tif 000011